(57)【要約】      （修正有）【課題】琺瑯製蓋体の内湾部にステンレス製カバーを嵌め込み、ネジを介して蓋体とつまみとを固定することでクリアランスと内圧調整が容易にできる琺瑯製蓋体を提供する。【解決手段】笛吹ケットル用の蓋体であって、蓋体は、ケットル本体の開口部に嵌合する溝付き本体部１と、本体部１の溝部に被覆固定されるカバー部４とがネジによって固定される構造であり、ネジは、本体部１頂点とカバー部の中心部に設けられた小孔部を介して下方から押し上げ、ネジ部先端部につまみ部３を取付けてある笛吹ケットル用蓋体。【選択図】図１
0003113000.tif 000002
【実用新案登録請求の範囲】
【請求項１】
笛吹ケットル用の蓋体であって、該蓋体は、ケットル本体の開口部に嵌合する溝付き本体部１と、該本体部１の溝部２に被覆固定されるカバー部４とがネジ８によって固定される構造であり、該ネジは、前記本体部１頂点とカバー部の中心部に設けられた小孔部を介して下方から押し上げ、該ネジ部先端部につまみ部３を取付けてあることを特徴とする笛吹ケットル用蓋体。
【請求項２】
前記本体部の溝部に被覆固定されるカバー部は、円形形状に沿って側面を有し、該側面上に少なくとも１個以上の突起部５と窪み部６を設けて内圧調整を可能とすることを特徴とする請求項１記載の笛吹ケットル用蓋体。
【請求項３】
前記笛吹ケットル及び蓋体本体は、琺瑯材で成形され、蓋体本体の溝部２に被覆固定されるカバー部４は、ステンレス材で成形されていることを特徴とする請求項１記載の笛吹ケットル用蓋体。
【請求項４】
笛吹ケットル用の蓋体であって、該蓋体は、ケットル本体の開口部に嵌合する溝付き本体部１と、該本体部の上面に取り付けられたポップナット１２と、該本体部１の溝部２に被覆固定されるカバー部４とがネジ８によって固定される構造であり、該ネジ８は、前記本体部１頂点とカバー部の中心部に設けられた小孔部を介して下方から押し上げてポップナット内筒部に固定され、該ポップナットを被覆するようにつまみ部３が取付けてあることを特徴とする笛吹ケットル用蓋体。
【考案の詳細な説明】
【技術分野】
【０００１】
本考案は、笛吹ケットル用蓋体に関し、更に詳しくは、琺瑯製ケットル専用の蓋体であってクリアランス良く本体と嵌合できる新規な笛吹ケットル用蓋体を提供するものである。
【背景技術】
【０００２】
従来、琺瑯製ケットルはやかん部本体部が琺瑯製であるが、蓋体として琺瑯素材を用いた場合には、やかん部本体の開口部との嵌合時におけるクリアランス（隙間）調整がうまくいかず、このため蓋体のみステンレス製にして対応していた。
【０００３】
この場合、やかん部本体の琺瑯色と蓋体部のステンレス素材の色との相違が大きく、視覚的にも違和感を覚えるものであり、このため蓋体にもやかん部本体と同色による琺瑯素材を用いることが検討されてきた。
【０００４】
この結果、やかん本体部の開口部周囲にステンレス製リングを取付けて、そのリング幅に合わせて嵌合させる蓋体の外形部径をやや大きく取り、該外形部先端から内側に折り曲りながら溝を設け、該溝部に樹脂製Ｏリングを嵌めることで前記ステンレス製リングとのクリアランスを調整し、蓋体からの蒸気漏れを少なくし一定の内圧が上がり笛に蒸気が集中して良く鳴るようにし、また、蓋体自体が持ち上がらないようにしていた。
【考案の開示】
【考案が解決しようとする課題】
【０００５】
琺瑯蓋を直接用いる場合、従来のアルミニウム製やステンレス製の蓋のようにやかん本体と蓋とのクリアランスを小さく摺り合せ状態にしたり、嵌合部において、直接突起状のストッパーを付けて蓋の浮き上がりを防止することが容易にできなかった。
【０００６】
また、琺瑯製蓋体を用いる場合には、前記樹脂製Ｏリングを蓋体の溝部に嵌め込んで調整する際にＯリングの外径を代えながらクリアランスを調整するために、作業者の経験に頼らなければならず手間のかかる作業となっていた。
【０００７】
また蓋体のＯリングとやかん本体のリングとの接触が強すぎると、やかん沸騰時の内圧調整に問題があった為、簡易にこれらの嵌合ができてクリアランス調整が可能な新規な手段が求められていた。
【課題を解決するための手段】
【０００８】
本考案者は、斯かる課題を解決するために鋭意研究したところ、琺瑯製蓋体を用いた場合に、蓋体の内湾部にステンレス製カバーを嵌め込み、ネジを介して蓋体とつまみとを固定することでクリアランスと内圧調整が容易にできる琺瑯製蓋体を提供することができた。
【０００９】
すなわち本考案の第一は、笛吹ケットル用の蓋体であって、該蓋体は、ケットル本体の開口部に嵌合する溝付き本体部１と、該本体部１の溝部２に被覆固定されるカバー部４とがネジ８によって固定される構造であり、該ネジは、前記本体部１頂点とカバー部の中心部に設けられた小孔部を介して下方から押し上げ、該ネジ部先端部につまみ部３を取付けてあることを特徴とする笛吹ケットル用蓋体である。
【００１０】
本考案の第二は、前記本体部の溝部に被覆固定されるカバー部は、円形形状に沿って側面を有し、該側面上に少なくとも１個以上の突起部５と窪み部６を設けて内圧調整を可能とすることを特徴とする請求項１記載の笛吹ケットル用蓋体である。
【００１１】
本考案の第三は、前記笛吹ケットル及び蓋体本体は、琺瑯材で成形され、蓋体本体の溝部２に被覆固定されるカバー部４は、ステンレス材で成形されていることを特徴とする請求項１記載の笛吹ケットル用蓋体である。
【００１２】
本考案の第四は、笛吹ケットル用の蓋体であって、該蓋体は、ケットル本体の開口部に嵌合する溝付き本体部１と、該本体部の上面に取り付けられたポップナット１２と、該本体部１の溝部２に被覆固定されるカバー部４とがネジ８によって固定される構造であり、該ネジ８は、前記本体部１頂点とカバー部の中心部に設けられた小孔部を介して下方から押し上げてポップナット内筒部に固定され、該ポップナットを被覆するようにつまみ部３が取付けてあることを特徴とする笛吹ケットル用蓋体である。
【考案の効果】
【００１３】
本考案の琺瑯製蓋体は、琺瑯製の蓋体本体にステンレス製のカバー部をネジを介してつまみと共に簡易に組立てることが可能であるので、製造工程が従来に比べて容易である。
【００１４】
上記ステンレス製のカバー部の側面には、少なくとも１種以上の突起体や窪み部を簡易に設けることができるので、該カバー部を取付けた蓋体はやかん本体のリングと接触する際にクリアランスと内圧調整が容易にできるようになっている。
【００１５】
上記ステンレス製カバー部は、使用時には表面に見えないために蓋体及びやかん本体の全体が同一系の琺瑯色で統一可能であるために、視認性に優れた製品を市場に提供できるものである。
【考案を実施するための最良の形態】
【００１６】
以下、図面をもって本考案の詳細を説明するが、本考案の範囲はこれらに限定されるものではない。
【実施例１】
【００１７】
図１は、本考案に係る琺瑯製蓋体の斜視図である。本考案の蓋体は、図２の分解図に示されているように蓋体本体１とカバー部４とつまみ部３と、これらを一体的に固定するネジ８とから構成され、図１に示すように一体化されている。
【００１８】
前記蓋体１の外形は、上部がつまみ部を固定するネジ８の先端が通過可能な小孔部１４を有する平らな面であり、該面から略半球状に広がってやかん本体の開口部を覆う大きさの径（１０７ｍｍ径）を有するように先端部を設定している。
【００１９】
該先端部から内湾状に折曲げた腰部（９８．８ｍｍ径）を円筒状体に約１０ｍｍ程下方に延設し、この腰部に対してステンレス製のカバー部４（１００ｍｍ内径）を外側から被覆して嵌め込み、１個の窪み部６をカバー部４に設けると共に、やかん本体のステンレスリングとのクリアランスを調整する約３ｍｍ前後の突起部５を３ヶ所設けた。
【００２０】
この場合、カバー部底部の中心箇所には、図４に示すように前記蓋体の中心部とを挿通するネジ８用の小孔部１５が同様に設けられ、ネジ８がカバー体４の外側から挿通されて先端部が蓋体の小孔部１４を通過し、その先端部につまみ部３内のネジ山が回転しながら固定されるようになっている。
【００２１】
このような構造の蓋体は、やかん本体の開口部の縁に取付けられたステンレス製リングと接触するために、突起部５の箇所でストッパーの働きを成しているほか、窪み部６でやかん内部で沸騰した蒸気を外部に抜き出す働きをなし、蓋体１自体がやかん本体から外れないように調整している。
【００２２】
図３は、蓋体本体１とカバー部２との嵌め込みを示す部分拡大断面図であるが、カバー部２の先端は蓋体の先端部より１．５ｍｍの隙間部９を有するように嵌め込んでおり、これにより手入れ洗浄時に、蓋内部（蓋体本体１とカバー部２との空間）に入った水を容易に抜きやすいようにしている。
【実施例２】
【００２３】
図５は、本考案に係る別な琺瑯製蓋体の断面説明図である。本考案の蓋体は、実施例１に示す蓋体本体１とカバー部２とつまみ部３とを用いるが、蓋体本体１の中央部の小孔部１４には予めポップナット１２のようなブラインドナットを上方から挿通させる。
【００２４】
この場合ネジ８は、カバー部４の中央に設けたカバー用小孔部１５を挿通して、前記ポップナット１２の内筒に設けられたネジ溝に嵌め込まれて蓋体本体１とカバー部２とを固着する。
【００２５】
次いで、図５に示すようなつまみ取り付け部１１を該ポップナット１２の突起部１３と蓋体本体１との間に先端部が装着し、更に、内部に溝を有するつまみ３を回転しながら装着させた。
【００２６】
本実施例で用いたブラインドナットは、材料同士を締結する際に材質の強度が小さく、或いは、板厚が薄くタップで雌ネジを成形することができない箇所に用いる雌ネジの一種であり、蓋体本体１の厚みが薄い場合に用いるとネジ固定に有用な材料である。
【図面の簡単な説明】
【００２７】
【図１】本考案に係る琺瑯製蓋体の斜視図である。
【図２】図１の分解説明図である。
【図３】蓋体本体１とカバー部２との嵌め込みを示す部分拡大断面図である。
【図４】図１の断面説明図である。
【図５】実施例２における琺瑯製蓋体の断面説明図である。
【符号の説明】
【００２８】
１・・・蓋体本体
２・・・本体溝部
３・・・つまみ部
４・・・カバー部
５・・・突起部
６・・・窪み部
７・・・隙間部
８・・・ネジ
９・・・隙間部
１０・・つまみ部雌ネジ
１１・・つまみ取付部
１２・・ポップナット
１３・・ポップナット突起部
１４・・蓋体本体用小孔部
１５・・カバー用小孔部
【図１】
0003113000.tif 000003
【図２】
0003113000.tif 000004
【図３】
0003113000.tif 000005
【図４】
0003113000.tif 000006
【図５】
0003113000.tif 000007